(57)【要約】【課題】シャフトの先端側（チップ側）に筒状体を位置変更可能にしっかりと装着することができるゴルフクラブと、その特性調節方法を提供する。【解決手段】ヘッド２のホゼル３にアタッチメント５付きのシャフト４が挿入され、ボルト７によって固定されている。シャフト４に筒状体６が外嵌している。筒状体６の下端側がホゼル３に挿入され、ロックリング８及びナット９によってシャフト４に固定されている。筒状体６のシャフト４先端からの距離を変更することにより、ゴルフクラブ１の振り感を変更することができる。【選択図】図２
2014212961.tif 000002
【特許請求の範囲】
【請求項１】
シャフトの先端がヘッドのホゼルに挿入されて取り付けられたゴルフクラブにおいて、
該シャフトのチップ側に筒状体が外嵌しており、
該筒状体が固定手段によって該シャフトに固定されているゴルフクラブであって、
該固定手段は、筒状体の固定を解除可能であることを特徴とするゴルフクラブ。
【請求項２】
請求項１において、前記固定手段は、前記筒状体に外嵌した、縮径変形可能なロックリングと、該ロックリングに外嵌すると共に、前記ホゼルの上端部外周面に螺合しており、該ロックリングを縮径させるためのナットとを備えていることを特徴とするゴルフクラブ。
【請求項３】
請求項２において、前記ナットの下部内周面に雌ねじが設けられ、該雌ねじがホゼル上端部外周面の雄ねじに螺合しており、
該ナットの上部内周面が上方ほど縮径するテーパ面であり、該テーパ面が前記ロックリングを締め付けることを特徴とするゴルフクラブ。
【請求項４】
請求項１ないし３のいずれか１項において、前記筒状体の上端側が前記ホゼルから突出していることを特徴とするゴルフクラブ。
【請求項５】
請求項１ないし４のいずれか１項において、前記筒状体は、一端から他端まで延在するスリットを有することを特徴とするゴルフクラブ。
【請求項６】
請求項１ないし５のいずれか１項のゴルフクラブの特性を調節する方法であって、前記筒状体のシャフト先端からの距離を調節することを特徴とするゴルフクラブの特性調節方法。
【発明の詳細な説明】
【技術分野】
【０００１】
本発明は、ゴルフクラブに係り、特に振り感の調節を容易に行うことができるゴルフクラブに関する。また、本発明は、このゴルフクラブの特性調節方法に関する。
【背景技術】
【０００２】
ゴルフクラブは、シャフトの先端部にヘッドが取り付けられたものである。シャフトの基端側にグリップが装着されている。
【０００３】
従来の一般的なゴルフクラブヘッドにあっては、ヘッドに直にホゼル穴が設けられており、シャフトは該ホゼル穴に挿入され、接着剤によって固定されている。
【０００４】
振り感を変更することができるゴルフクラブとして、特許文献１，２には、シャフトに筒体を着脱可能かつシャフト長手方向位置変更可能に取り付けたものが記載されている。この筒体の位置を変更したり、筒体として長さの異なるものを用いたり、筒体の装着個数を変更したりすることにより、シャフトの剛性やキックポイントを変えることができる。
【０００５】
また、この種のゴルフクラブに関連した特許文献として下記特許文献３以降のものがある。
【先行技術文献】
【特許文献】
【０００６】
【特許文献１】特開２０１２−１２５４８９
【特許文献２】特表２０１２−５２６６１８
【特許文献３】米国特許公開２０１１／００７７０９７
【特許文献４】米国特許公開２００９／０２３９６７７
【特許文献５】米国特許公開２０１１／０３１２４３５
【特許文献６】特開２０１２−６５７７２
【特許文献７】特開２００９−６１２２０
【特許文献８】特開２００３−１３５６２９
【特許文献９】特開平１１−１２３２５１
【特許文献１０】特開平９−１９２２６７
【特許文献１１】特開平９−７０４５３
【特許文献１２】特開平５−１９２４２４
【発明の概要】
【発明が解決しようとする課題】
【０００７】
上記特許文献１の００１３段落には、筒体をシャフトに、ガス管とホースとを締結するバンドのようなきつく巻き付く手段によって取り付けると記載されているが、具体的な筒体固定形態は不明である。特許文献２の００３１段落には、筒体の半体同士をスナップ係合、圧縮嵌合、結合、接着などによって結合して筒体を構成することが記載されているが、シャフトに筒体をしっかり固定保持することができるかどうか明らかではない。
【０００８】
本発明は、シャフトの先端側（チップ側）に筒状体を位置変更可能にしっかりと装着することができるゴルフクラブと、その特性調節方法とを提供することを目的とする。
【課題を解決するための手段】
【０００９】
本発明のゴルフクラブは、シャフトの先端がヘッドのホゼルに挿入されて取り付けられたゴルフクラブにおいて、該シャフトのチップ側に筒状体が外嵌しており、該筒状体が固定手段によって該シャフトに固定されているゴルフクラブであって、該固定手段は、筒状体の固定を解除可能であることを特徴とする。
【００１０】
前記固定手段は、前記筒状体に外嵌した、縮径変形可能なロックリングと、該ロックリングに外嵌すると共に、前記ホゼルの上端部外周面に螺合しており、該ロックリングを縮径させるためのナットとを備えていることが好ましい。
【００１１】
このナットの下部内周面に雌ねじが設けられ、該雌ねじがホゼル上端部外周面の雄ねじに螺合しており、ナットの上部内周面が上方ほど縮径するテーパ面であり、該テーパ面が前記ロックリングを締め付けることが好ましい。
【００１２】
前記筒状体の上端側は前記ホゼルから突出していることが好ましい。また、前記筒状体は、一端から他端まで延在するスリットを有することが好ましい。
【００１３】
本発明のゴルフクラブの特性調節方法は、かかる筒状体のシャフト先端からの距離を調節するものである。
【発明の効果】
【００１４】
本発明のゴルフクラブでは、シャフトに筒状体が外嵌し、この筒状体が固定手段によってシャフトに固定されている。固定手段による固定を解除すると、筒状体のシャフト先端からの距離を変更することができる。この筒状体のシャフト先端からの距離を変更することにより、ゴルフクラブの振り感を変更することができる。
【００１５】
固定手段としてロックリング及びナットを用いることにより、固定及び固定解除をきわめて容易に行うことができる。
【００１６】
筒状体に、一端から他端にまでスリットを設けておくことにより、径の異なるシャフトに対しても同一の筒状体を装着することができる。
【図面の簡単な説明】
【００１７】
【図１】実施の形態に係るゴルフクラブのヘッド付近の正面図である。
【図２】図１（ａ）のゴルフクラブのホゼル付近の縦断面図である。
【図３】図１（ｂ）のゴルフクラブのホゼル付近の縦断面図である。
【図４】実施の形態に係るゴルフクラブの分解断面図である。
【図５】図４のＶ−Ｖ線断面図である。
【発明を実施するための形態】
【００１８】
以下、図面を参照して実施の形態について説明する。
【００１９】
このゴルフクラブ１は、ドライバー等のウッド型ゴルフクラブであり、ヘッド２のホゼル３にシャフト４を、アタッチメント５及びボルト７を介して取り付けたものである。シャフト４には筒状体６が外嵌されており、この筒状体６がシャフト４にロックリング８及びナット９によって固定されている。この実施の形態では、シャフト４はカーボンシャフトであるが、スチールシャフトであってもよい。
【００２０】
このヘッド２は中空のウッド型のものであり、フェース部２ａと、クラウン部２ｂと、ソール部２ｃと、トウ部２ｄと、ヒール部２ｅとを有する。
【００２１】
図２，３の通り、クラウン部２ｂのフェース部２ａ側かつヒール部２ｅ側にホゼル３が設けられている。このホゼル３に連なるように、ホゼル３と同一内径のカラム３ｈがホゼル３と同軸状にソール部２ｃに向って延在している。このカラム３ｈ内にアタッチメント５付きシャフト４が挿入され、ボルト７によって固定されている。カラム３ｈには、カラム３ｈの軸心方向と垂直な仕切板部３ｂが設けられている。この仕切板部３ｂに設けられたボルト挿通孔（開口）３ａにボルト７が下から上へ挿通され、アタッチメント５の雌螺子穴５ａにねじ込まれている。アタッチメント５は接着剤によってシャフト４の先端側のシャフト外面及び内面に固着されている。
【００２２】
ホゼル３の上部外周面に雄ねじ３ｃ（図４）が刻設されている。ホゼル３の先端にはロックリング８が接着、溶接などにより固着されている。ロックリング８はホゼル３と同一の内径を有し、ホゼル３と同軸に設置されている。ロックリング８は円筒形である。ロックリング８の上端からはスリ割り８ａが複数条、円筒形ロックリング８の軸心線と平行方向に切り込まれており、ロックリング８の上部が縮径方向に弾性的に変形可能となっている。
【００２３】
ナット９の下部の内周面に雌ねじ９ａが設けられ、この雌ねじ９ａがホゼル３の雄ねじ３ｃに螺合する。ナット９の上部の内周面は上方ほど縮径するテーパ面９ｂとなっており、このテーパ面９ｂがロックリング８の外周面に係合する。ナット９の下部外周面は、工具等を掛けることができるように非円形断面形状（例えば多角形断面形状）となっている。
【００２４】
筒状体６は、シャフト４に外嵌する内径を有している。筒状体６には一端から他端にまで連続するスリット６ａ（図５）が設けられている。これにより、径の異なるシャフトにも装着できるよう構成されている。筒状体６に縮径方向に締め付け力が加えられると、筒状体６の内周面がシャフト４の外周面に押し付けられ、筒状体６がシャフト４にしっかりと固定される。
【００２５】
筒状体６の構成材料としては、純チタン、チタン合金、アルミ合金、ステンレスなどが好適である。筒状体６の肉厚は０．５〜２．０ｍｍ特に１．０ｍｍ程度が好適である。筒状体６の長さは３０〜５０ｍｍ特に４０ｍｍ程度が好適である。ロックリング８の構成材料としては、ＡＢＳ樹脂、ポリプロピレン、ポリウレタン、アクリル、セルロイドなどのプラスチックなどが好適である。
【００２６】
図１（ａ）及び図２の状態では、筒状体６はホゼル３から若干突出している。この状態では、ナット９のテーパ面９ｂがロックリング８の上部を締め付け、該ロックリング８の上部が筒状体６を締め付け、筒状体６がシャフト４に固定されている。ナット９を緩めると、ロックリング８の締め付けが解除され、筒状体６がシャフト４の長手方向にスライド可能となり、筒状体６のシャフト４先端からの距離を変えることができる。図１（ｂ）及び図３は図１（ａ）及び図２よりも筒状体６をホゼル３から長く突出させた後、ナット９を再度締め付けて筒状体６を固定した状態を示している。
【００２７】
このように、筒状体６のシャフト４先端からの距離を変更することにより、クラブの振り感を変更することができる。具体的には、筒状体６のシャフト４先端からの距離を大きくすると、ベンドポイントが手元（グリップ）寄りになり、シャフト４先端からの距離を小さくすると、ベンドポイントがチップよりになる。この実施の形態では、ナット９を回して緩めたり固定するだけで筒状体６の移動・固定が可能であり、上記のベンドポイントの変更が極めて容易である。
【００２８】
上記実施の形態は本発明の一例であり、本発明は図示以外の形態とされてもよい。本発明は、ウッド型以外のアイアン型、ユーティリティ型など各種のゴルフクラブにも適用可能である。
【符号の説明】
【００２９】
１  ゴルフクラブ
２  ヘッド
３  ホゼル
３ｈ  カラム
４  シャフト
５  アタッチメント
５ａ  雌ねじ穴
６  筒状体
６ａ  スリット
７  ボルト
８  ロックリング
９  ナット
【図１】
2014212961.tif 000003
【図２】
2014212961.tif 000004
【図３】
2014212961.tif 000005
【図４】
2014212961.tif 000006
【図５】
2014212961.tif 000007